(57)【要約】ガス放電ランプは、高周波ランプ電流を用いて駆動される。ランプ駆動回路は、前出のランプ電流を供給するための高周波ブリッジ回路を有する。ランプ電圧が所定のランプ動作電圧を下回る場合にランプが消灯することを防ぐよう、共振回路はランプ駆動回路においてランプと高周波ブリッジ回路との間に設けられる。ブリッジ回路の周波数は、共振回路がガス放電ランプへ供給される電圧を前出のランプ動作電圧よりも高い電圧へと押し上げるよう共振しうる。
2008503866.tif 000002
【特許請求の範囲】
【請求項１】
ガス放電ランプを駆動するための方法であって：
二相整流電圧を出力する整流器回路へ交流供給電圧を供給するステップ；
高周波ブリッジ回路へ高周波制御信号を供給するステップ；
高周波ブリッジ出力電圧を出力する前記高周波ブリッジ回路へ前記二相整流電圧を供給するステップ；及び
前記ガス放電ランプ及び共振回路を有する負荷回路へ前記ブリッジ出力電圧を供給するステップ；
を有し、
前記ブリッジ出力電圧の周波数は、前記ガス放電ランプの定常状態動作の間に前記共振回路が、前記ブリッジ出力電圧が所定の動作電圧よりも低くなるたびに、所定の点灯電圧よりも高い電圧へと前記ガス放電ランプへ供給される電圧を押し上げるよう共振するように制御される、ことを特徴とする方法。
【請求項２】
低域通過入力フィルタ回路により前記交流供給電圧にフィルタをかけるステップを更に有する、請求項１記載の方法。
【請求項３】
前記ブリッジ出力電圧の周波数は、前記ガス放電ランプを点灯させるために前記ガス放電ランプへ供給される電圧を押し上げるよう、前記共振回路の共振周波数又は該共振周波数の高調波へと下げられる、ことを特徴とする請求項１記載の方法。
【請求項４】
前記共振回路の共振周波数は、前記ブリッジ出力電圧の周波数の一次又はそれ以上の高次の奇数高調波である、ことを特徴とする請求項１記載の方法。
【請求項５】
ガス放電ランプを駆動するための一段式ガス放電ランプ駆動回路であって：
交流供給電圧を整流する整流器回路；
二相整流電圧を受け取るために前記整流器回路の出力端子へ接続された入力端子を有する高周波ブリッジ回路；
該ブリッジ回路へ高周波制御信号を供給する制御回路；及び
前記ガス放電ランプ及び共振回路を有し、高周波ブリッジ出力電圧を受け取るために前記ブリッジ回路へ接続された負荷回路；
を有し、
前記ブリッジ出力電圧の周波数は、前記ガス放電ランプの定常状態動作の間に前記共振回路が、前記ブリッジ出力電圧が所定の動作電圧よりも低くなるたびに、所定の点灯電圧よりも高い電圧へと前記ガス放電ランプへ供給される電圧を押し上げるよう共振するように前記制御回路によって制御される、ことを特徴とする一段式ガス放電ランプ駆動回路。
【請求項６】
高周波信号にフィルタをかける低域通過入力フィルタを更に有し、
前記整流器回路の入力端子は、フィルタ処理された交流供給電圧を受け取るために前記入力フィルタの出力端子へ接続される、
ことを特徴とする請求項５記載の一段式ガス放電ランプ駆動回路。
【請求項７】
前記負荷回路は、前記ガス放電ランプ及び第１のキャパシタンスの並列回路を有し、
該並列回路は、インダクタンスに直列に接続され、
前記キャパシタンス及び前記インダクタンスは、前記共振回路の一部である、
ことを特徴とする請求項５記載の一段式ガス放電ランプ駆動回路。
【請求項８】
第２のキャパシタンスは、前記インダクタンス及び前記並列回路に直列に接続される、ことを特徴とする請求項７記載の一段式ガス放電ランプ駆動回路。
【請求項９】
前記低域通過入力フィルタは、第１の入力フィルタキャパシタンスと、入力フィルタ変圧器と、第２の入力フィルタキャパシタンスとを有し、
前記第１の入力フィルタキャパシタンスは、前記入力フィルタの第１及び第２の入力端子の間に接続され、
前記第２の入力フィルタキャパシタンスは、前記入力フィルタの第１及び第２の出力端子の間に接続され、
前記入力フィルタ変圧器の第１の巻線は、前記入力フィルタの前記第１の入力端子と前記第１の出力端子との間に接続され、
前記入力フィルタ変圧器の第２の巻線は、前記入力フィルタの前記第２の入力端子と前記第２の出力端子との間に接続される、
ことを特徴とする請求項６記載の一段式ガス放電ランプ駆動回路。
【発明の詳細な説明】
【技術分野】
【０００１】
本発明は、ガス放電ランプ、特に高輝度ガス放電（ＨＩＤ）ランプの駆動に関する。具体的には、本発明は、ガス放電ランプの駆動方法と、高い力率を有する一段式ガス放電ランプ駆動回路とに関する。
【背景技術】
【０００２】
ランプ駆動回路は、ランプが機能することを可能にするために、適切な電圧（及び電流）をガス放電ランプ、特に高輝度放電（ＨＩＤ）ランプに供給するために必要とされる。ランプを点灯させるために点灯電圧が必要とされ、所定の動作電圧及び電流がランプをオンし続けるために必要とされる。
【０００３】
ガス放電ランプ駆動回路、及び特に高輝度ガス放電ランプ駆動回路は、当該技術分野において知られており、例えば、交流主電圧により電源供給されるべき放電ランプとともに使用される。
【０００４】
供給される交流電圧を直流電圧へ変換し、高周波交流電圧を発生させるよう前出の直流電圧を高速切替えブリッジ回路へ供給して、例えば、高周波方形波電圧を供給する。前出の直流電圧を供給するよう、交流供給電圧は、前出のブリッジ回路へ供給される前にランプ駆動回路により整流される。このような駆動回路を用いることは、供給エネルギーが駆動回路により浪費されて、駆動回路効率を悪化させるという欠点を有する。
【０００５】
ある既知のランプ駆動回路設計、及び対応するランプ駆動方法は、力率補正段を有する。しかし、このような力率補正段は、それ自体エネルギーを浪費して、駆動回路効率を悪化させる。
【０００６】
他の既知の駆動回路設計は、力率補正段を削除することを目標としている。ＡＰＥＣ１９９６、Ｗ．チェン及びＦ．リーによる「低ＴＨＤ及び低波高因子を有する改善された充電ポンプ電子バラスト（Ａｎ  ｉｍｐｒｏｖｅｄ  ｃｈａｒｇｅ  ｐｕｍｐ  ｅｌｅｃｔｒｏｎｉｃ  ｂａｌｌａｓｔ  ｗｉｔｈ  ｌｏｗ  ｔｈｄ  ａｎｄ  ｌｏｗ  ｃｒｅｓｔ  ｆａｃｔｏｒ）」では、電力フィードバックを有する一段式変換器が提案されている。このよう駆動回路は、所定の状態の下でしか低い全高調波歪み（ＴＨＤ）を達成しない。前出の所定の状態を実現するよう、駆動回路は複雑になる。このような複雑な駆動回路は、高価であり、不良に対して敏感である。更に、上述された一段式変換器では、エネルギー蓄積が必要である。このようなエネルギー蓄積は、大きな構成要素を必要とし、大きな駆動回路を生じさせる。前出の大きなエネルギー蓄積構成要素は、また、非常に不良に対して敏感である。
【非特許文献１】ＡＰＥＣ１９９６、Ｗ．チェン及びＦ．リー、「低ＴＨＤ及び低波高因子を有する改善された充電ポンプ電子バラスト（Ａｎ  ｉｍｐｒｏｖｅｄ  ｃｈａｒｇｅ  ｐｕｍｐ  ｅｌｅｃｔｒｏｎｉｃ  ｂａｌｌａｓｔ  ｗｉｔｈ  ｌｏｗ  ｔｈｄ  ａｎｄ  ｌｏｗ  ｃｒｅｓｔ  ｆａｃｔｏｒ）」
【発明の開示】
【発明が解決しようとする課題】
【０００７】
本発明は、エネルギー蓄積を伴わない効率的で、簡単で、低コストのガス放電ランプ駆動方法及び駆動回路を提供することを目的とする。
【課題を解決するための手段】
【０００８】
前出の目的は、請求項１に従うガス放電ランプを駆動するための方法と、請求項５に従うガス放電ランプ駆動回路とで達成される。
【０００９】
本発明に従う方法では、交流電圧は、交流電圧の零から最大電圧までの正弦波の半周期のように変化する直流電圧へと整流される。前記正弦波の半周期は、交流供給電圧の周波数の２倍である周波数を有する。
【００１０】
ランプへ供給される電圧は、動作電圧を下回ることがある。直流電圧は、ほとんど又は全くリップルを有さない直流電圧へ変換されない。従って、直流電圧での周期的な降下を補償するためにランプ駆動回路でエネルギー蓄積は実質的に必要ではない。
【００１１】
本発明に従う駆動回路の高周波ハーフブリッジは、高周波電圧を出力するよう制御回路により制御される。前出の高周波電圧は、例えばガス放電ランプのような放電ランプへ供給される。しかし、高周波ブリッジ出力は、周期的に、上述された所定の動作電圧よりも低くなる。従って、本発明に従う方法及び駆動回路で、共振回路は負荷回路内に設けられる。前出の共振回路は、以下で更に詳細に述べられるように、ＨＩＤランプが、ブリッジ出力電圧が前出の動作電圧よりも低くなるたびに消灯することを防ぐ。
【００１２】
駆動回路、及び特にその共振回路は、ブリッジ出力電圧が低下する場合に、共振回路での電圧が増大し、ランプが消灯しないことを確実にするようランプへ（再）点灯電圧を供給するように設計される。
【００１３】
本発明に従うランプ駆動回路は、供給される交流電圧、具体的には主電圧から、高周波部分を除去するよう低域通過入力フィルタを設けられても良い。また、例えば、基本周波数のより高次な高調波及び如何なる高周波雑音信号のような、駆動回路で発生した高周波は、主系統を乱すことがある。入力フィルタは、また、駆動回路内で発生した高周波信号が主系統へ伝送されることを防ぐことができる。
【００１４】
ガス放電ランプを点灯させるために、ブリッジ出力電圧の周波数は、ガス放電ランプへ供給される電圧を押し上げるよう、共振回路の共振周波数又はその高調波へと下げられうる。従って、ランプを点灯させるために必要とされる高電圧は、更なる点灯回路を必要とせずにランプへ供給される。
【００１５】
ランプ駆動回路の動作中に、共振周波数は、ブリッジ回路により出力される供給電圧の周波数の一次又はそれよりも高次の高調波でありうる。このような関係を有するブリッジ出力電圧周波数及び共振周波数を選択することは、ブリッジ回路により出力される電圧が下がる場合に、ランプのインピーダンスが増大するので、共振回路がランプの両端の電圧を押し上げることを確実にする。ランプインピーダンスの前出の増大に起因して、共振回路の減衰は鈍り、共振回路での電圧は増大する。
【００１６】
共振周波数がより高次な高調波である場合に、それは、望ましくは、より高次の奇数高調波である。ブリッジ出力電圧が実質的に高周波方形波であるから、共振周波数は、方形波のフーリエ解析により導出可能な、前出の方形波の基本周波数の一連のより高次の奇数高調波正弦波から構成される。従って、方形波は、共振周波数が方形波の基本周波数のより高次な奇数高調波である場合に、共振回路で共振を発生させるのに適しうる。
【００１７】
実施例で、ランプ回路は、ガス放電回路及び第１の共振器キャパシタンスの並列回路を有する。その並列回路は、インダクタンスに直列に接続されており、第１の共振器キャパシタンス及びインダクタンスは前出の共振回路の一部である。上述したように、ブリッジ回路により出力される供給電圧が下がる場合に、ランプインピーダンスは増大し、ランプ回路の減衰は鈍くなる。この簡単な実施例で、第１の共振器キャパシタンスの両端の電圧は結果として増大して、ランプを含む並列回路両端の電圧は増大する。前出の並列回路での増大した電圧は、ランプが消灯することを防ぐ。
【００１８】
更なる実施例で、第２の共振器キャパシタンスは、前出のインダクタンス及び前出の並列回路に直列に接続されている。第２の共振器キャパシタンスの付加は、第１の共振器キャパシタンスの値を低減することを可能にする。第１の共振器キャパシタンスがより小さくなるとともに、（再）点灯電圧を発生させるのに必要とされる電流も低くなる。更なる手段が力率を改善するために取られても良い。例えば、ハーフブリッジ周波数の周波数変調は、力率が増大するように入力電流を成形しても良い。
【００１９】
低域通過入力フィルタは、第１の入力フィルタキャパシタンスと、入力フィルタ変圧器と、第２の入力フィルタキャパシタンスとを有しても良い。入力フィルタのこのような実施例で、第１の入力フィルタキャパシタンスは、入力フィルタの第１及び第２の入力端子の間に接続されても良く、第２の入力フィルタキャパシタンスは、入力フィルタの第１及び第２の出力端子の間に接続されても良い。入力フィルタ変圧器の第１の巻線は、入力フィルタの第１の入力端子と第１の出力端子との間に接続されても良い。入力フィルタ変圧器の第２の巻線は、第２の入力端子と第２の出力端子との間に接続されても良い。このような入力フィルタは、高周波信号が２つの別個の回路、この場合には例えば主系統及びランプ駆動回路の間でやり取りされることを妨げるための、当該技術分野において知られるフィルタ形式であるＥＭＩフィルタである。
【発明を実施するための最良の形態】
【００２０】
以下、本発明について、限定されない例となる実施形態を示す添付の図面を参照して更に詳細に説明する。
【００２１】
図１は、ガス放電ランプ駆動回路２０と、それに接続されたガス放電ランプ１０とを概略的に表す。ランプ駆動回路２０は、例えば、５０Ｈｚ又は６０Ｈｚの周波数により主電圧を交互にする交流電圧電源７０へ更に接続されている。
【００２２】
ランプ駆動回路２０は、入力フィルタ３０と、整流器回路４０と、ハーフブリッジ回路５０とを有する。ランプ１０は、共振回路６０へ接続されている。共振回路６０は、ガス放電ランプ１０とともに、ハーフブリッジ回路５０の負荷回路を形成する。本発明に従うランプ駆動回路２０は、如何なるエネルギー蓄積回路又は如何なる力率補正回路も有さない。
【００２３】
電圧電源７０により供給される交流電圧は、入力フィルタ３０によりフィルタをかけられる。入力フィルタ３０は、入力電圧から高周波信号を除去して、場合により、高周波信号が主電圧電源のような交流電圧電源７０へ伝送されることを妨げるための、例えば、当該技術分野において周知である電磁干渉（ＥＭＩ）フィルタのような低域通過フィルタである。
【００２４】
整流器回路４０は、入力フィルタ３０からフィルタ処理された交流電圧を受け取り、その電圧を整流する。整流器回路４０は、周知のフルダイオードブリッジ回路であっても良いが、同様に如何なる他のアクティブ又はパッシブ整流器回路であっても良い。整流器回路４０は、直流電圧からは如何なるリップルも取り除かないので、エネルギー蓄積は必要とされない。
【００２５】
交流電圧が如何なるリップルの除去も伴わずに整流されるので、結果として得られる直流電圧は、供給される電圧の周波数の２倍である周波数、例えば、５０Ｈｚ主電圧が電圧電源７０により供給される場合には１００Ｈｚにより、最大電圧から零まで変化する。しかし、ガス放電ランプ１０は、所定の動作電圧を下回る電圧が供給されうる場合に消灯される。
【００２６】
ハーフブリッジ回路５０は、大きなリップルを有する前出の直流電圧を受け取る。ハーフブリッジ回路５０は、ガス放電ランプ１０へ高周波交流電流を供給するよう構成される。ガス放電ランプ１０は、ランプ１０の可視的な光点滅（ｌｉｇｈｔ  ｆｌｉｃｋｅｒｉｎｇ）を防ぐよう高周波交流電流を供給される。
【００２７】
高周波電流は、共振回路６０及びガス放電ランプ１０を有する負荷回路へ供給される。しかし、ハーフブリッジ回路５０により供給される高周波電流は、ハーフブリッジ回路５０へ供給される直流電圧に存在するリップルの低周波により強さが変化する。結果として、ハーフブリッジ回路５０により供給される電流は、周期的に、即ち、リップル周波数の周波数により、非常に低くなるので、ガス放電ランプ１０を消灯させないままとすることができない。
【００２８】
ガス放電ランプ１０の前出の消灯を防ぐよう、負荷回路は、ランプ１０及び共振回路６０を有する。ランプ１０が消える恐れがある場合に、共振回路６０は、高電圧が負荷回路で発生するように、具体的には、高電圧がランプの両端で発生するように共振する。それにより、発生した高電圧は、ランプ１０が消灯することを防ぐ。
【実施例】
【００２９】
図２は、本発明に従うガス放電ランプ駆動回路２０の実施例を表す。入力フィルタ３０は、２つのフィルタ部３０Ａ及び３０Ｂに分けられる。第１のフィルタ部３０Ａは、第１の入力フィルタキャパシタンスＣ１と、入力フィルタ変圧器Ｔ１と、第２の入力フィルタキャパシタンスＣ２とを有する。第１の入力フィルタキャパシタンスＣ１は、入力フィルタ部３０Ａの第１の入力端子ＩＮ１と第２の入力端子ＩＮ２との間に接続されている。第２の入力フィルタキャパシタンスＣ２は、入力フィルタ部３０Ａの第１の出力端子ＯＵＴ１と第２の出力端子ＯＵＴ２との間に接続されている。入力フィルタ変圧器Ｔ１の第１の巻線Ｗ１は、入力フィルタ部３０Ａの第１の入力端子ＩＮ１と第１の出力端子ＯＵＴ１との間に接続されている。入力フィルタ変圧器Ｔ１の第２の巻線Ｗ２は、入力フィルタ部３０Ａの第２の入力端子ＩＮ２と第２の出力端子ＯＵＴ２との間に接続されている。
【００３０】
第２の入力フィルタ部３０Ｂは、第３の入力フィルタキャパシタンスＣ３を有し、整流器回路４０の後に設けられている。整流器回路４０は、当該技術分野においてよく知られたブルブリッジ構成で４つのダイオードＤ１〜Ｄ４を有する。
【００３１】
共振回路及びガス放電ランプ１０を有する負荷回路並びにハーフブリッジ回路は、参照番号８０により示される。ハーフブリッジ回路は、２つのトランジスタＱ１及びＱ２と、２つのダイオードＤ５及びＤ６と、２つのキャパシタンスＣ５及びＣ６とを有する。共振回路は、インダクタンスＩ１と、キャパシタンスＣ４とを有する。トランジスタＱ１及びＱ２を制御する制御回路は図示されていない。制御回路は、前出のトランジスタＱ１及びＱ２のゲートＧ１及びＧ２の夫々へ接続されている。
【００３２】
入力フィルタ３０及び整流器回路４０は、当該技術分野において知られる回路である。キャパシタンスＣ３は、エネルギー蓄積キャパシタとしてではなく、低域通過フィルタとして機能する比較的小さなキャパシタンスであることが知られる。キャパシタンスＣ３は、整流器回路４０により出力される電圧における如何なる高い周波数部分も除去するよう意図される。
【００３３】
整流器回路４０（及び入力フィルタ部３０Ｂ）により出力される直流電圧は、ハーフブリッジ回路５０へ供給される。ゲートＧ１及びＧ２へ接続される制御回路は、交流電圧が負荷端子Ｌ１及びＬ２の間で発生するように交互にトランジスタＱ１及びＱ２を切り替える。従って、交流電圧は、共振回路６０及びランプ１０を有する負荷回路の両端で発生する。制御回路による切替えの周波数は、負荷回路に亘る交流電圧の周波数を決定する。
【００３４】
動作において、即ち、ランプ１０が点灯する場合に、負荷回路を流れる交流電流は、ガス放電ランプ１０でアークを発生させる。アークをオンさせたままとするよう、ランプ１０の両端の電圧は、所定の動作電圧よりも高いことが必要とされる。ハーフブリッジ回路５０へ供給される直流電圧でのリップルに起因して、ハーフブリッジ回路５０により出力される交流電圧は、周期的に前出の動作電圧を下回る。
【００３５】
前出の交流電圧が実質的に零まで低下する場合に、ランプ電流は実質的に零まで低下し、それにより、ランプ１０には高インピーダンスが生ずる。高ランプインピーダンスに起因して、負荷回路の減衰（ｄａｍｐｉｎｇ）は鈍り、結果として共振回路は強く共振する。共振回路のこのような共振は、負荷回路に亘る、具体的にはランプ１０の両端の電圧を押し上げ、それによりランプ１０が消灯することを防ぐ。
【００３６】
共振回路の表される実施例は、適切な共振回路の簡単な例である。共振回路は、例えば、インダクタンスＩ１に直列な更なるキャパシタンスを有する、より複雑な回路であっても良い。このような更なるキャパシタンスは、例えば、回路の力率を改善するために、第１のキャパシタンスＣ４の値を低減させることができる。
【００３７】
ハーフブリッジ回路の周波数及び共振回路の共振周波数は、共振周波数が前出の動作周波数と同じであるように、又はそれが動作周波数のより高次の奇数高調波でありうるように調整される。従って、共振回路は、交流電圧が動作電圧を下回った場合に共振しうる。
【００３８】
ガス放電ランプ１０を点灯させるよう、ハーフブリッジ回路は、共振回路の共振周波数よりも高い周波数で動作を開始する。その場合に、動作周波数は、動作周波数が前出のように共振周波数又はその高調波に近くなるまで共振周波数へと下げられる。このような電圧及び電流を共振回路へ供給することは、共振回路の共振を生じさせる。それによって、共振回路の共振は、ランプ１０を点灯させるのに十分な電圧をガス放電ランプ１０の両端で発生させる。その後、動作中に、ハーフブリッジ回路は、前出の動作周波数で動作を維持する。
【００３９】
図３Ａ〜３Ｃは、本発明に従うランプ駆動回路における多数のノードでの時間ｔの関数としての理論電圧Ｖを示す。図３Ａは、入力として主電圧を有する入力フィルタによって出力される交流電圧を示す。交流主要供給電圧は、例えば、５０Ｈｚの周波数を有する正弦波である。入力フィルタは、高周波信号が主電圧電源へ伝送されることを防ぐ。
【００４０】
整流器回路により出力される直流電圧は図３Ｂに示される。直流電圧におけるリップルの周波数は、供給された交流電圧の正弦周波数の２倍の周波数であり、従って、リップルの周波数は１００Ｈｚである。ハーフブリッジ回路は、図３Ｂで示される直流電圧を受け取り、高周波切替えによりハーフブリッジ回路は、図３Ｃで示される電圧を出力する。出力電圧は、図３Ａで示される供給交流電圧の正弦波周波数に対応する正弦低周波包絡線を有する高周波交流電圧である。
【００４１】
図３Ａ〜３Ｃで示される電圧は、理論であって、それらがハーフブリッジ回路へ接続された負荷回路に依存して異なりうることを意味する。また、回路で使用される構成要素の理想的でない特性は、図３Ａ〜３Ｃに示された電圧の実際の形状及び値に影響を及ぼしうる。
【００４２】
図４は、時間ｔの関数として本発明の実施例において測定されたガス放電ランプ電流Ｉ１及びランプ電圧Ｖ１を示す。信号の高い周波数に起因して、実際の信号は、もはや区別可能ではなく、しかし、包絡線のみは見ることができる（図３Ｃ参照。）。信号Ｉ１及びＶ１は、５０Ｈｚの主電圧を用いて取得され、期待されうるように、示されるランプ電流包絡線は１００Ｈｚの周波数及び実質的に正弦曲線の形状を有する。
【００４３】
示されるランプ電圧包絡線は、正弦曲線形状を有していない。ランプ電流Ｉ１の正弦波の零交点ｔ１で、電圧Ｖ１の包絡線は実質的に零である。その場合に、共振回路は電圧Ｖ１を押し上げ、ランプは点灯する。ランプが点灯すると、ランプ電流Ｉ１は流れ始める。電流がランプを流れるとともに、共振回路は減衰し、電圧Ｖ１は、ランプの動作電圧を依然として上回る所定レベルまで低下する。ランプ電流Ｉ１が再度零となると、ランプ電圧Ｖ１は零まで低下して、共振回路を励振し、それにより新しい周期を開始する。
【００４４】
図５は、図４で示されるのと同じランプ電圧Ｖ１を示す。更に、図５は、図２で示された実施例の負荷回路内の共振回路のインダクタンスを流れる電流Ｉｉを示す。示される時間スケールは、図４の時間スケールと同一である。ランプ電圧Ｖ１は、より小さなスケールで示されるが、図４で示されるものとやはり同じである。
【００４５】
インダクタンス電流Ｉｉは、明らかに、正弦波の開始及び終了時にランプ電流Ｉ１とは異なる。コイルを流れる電流Ｉｉは、回路内の共振に起因して、ランプを流れる電流Ｉ１が実質的に零である場合に押し上げられる。この共振効果は、ランプが消灯することを防ぐために用いられる。
【００４６】
ここで開示される本発明に従うガス放電ランプ駆動回路は、特に、高輝度ガス放電（ＨＩＤ）ランプを駆動するのに適する。例えば園芸用途のような、ランプの特に高輝度な用途は、駆動回路の高効率のために、開示されるランプ駆動回路から恩恵を受けうる。
【００４７】
上述した実施例は簡単で、且つエネルギー効率が良い。しかし、本発明は、表された実施例に限定されず、前出の実施例が本発明の適用範囲を損なわない範囲で如何に変更されうるかは当業者には明らかである。例えば、高周波ハーフブリッジ回路は、フルブリッジ回路により置換され、入力フィルタ回路は、供給電圧から高周波信号を除去するのに適した如何なる他の低域通過フィルタによっても置換されうる。
【００４８】
添付の特許請求の範囲と同じく上記において、「有する」は、他の要素又はステップを除外しているわけではなく、「１つの」は、複数個を除外しているわけではないことが理解されるべきである。更に、特許請求の範囲の如何なる参照符号も、本発明の適用範囲を限定するよう解釈されるべきではない。
【図面の簡単な説明】
【００４９】
【図１】本発明に従うガス放電ランプ駆動回路を概略的に表す。
【図２】本発明に従うガス放電ランプ駆動回路の実施例の回路図を示す。
【図３】Ａ〜Ｃは、交流電圧電源、入力フィルタ、整流器回路及びハーフブリッジ回路により夫々出力される電圧を概略的に表す。
【図４】本発明の実施例におけるランプ電流及びランプ電圧を示す。
【図５】本発明の実施例におけるインダクタンス電流及びランプ電圧を示す。
【図１】
2008503866.tif 000003
【図２】
2008503866.tif 000004
【図３Ａ】
2008503866.tif 000005
【図３Ｂ】
2008503866.tif 000006
【図３Ｃ】
2008503866.tif 000007
【図４】
2008503866.tif 000008
【図５】
2008503866.tif 000009
【国際調査報告】
2008503866.tif 000010
2008503866.tif 000011
2008503866.tif 000012